(57)【要約】      （修正有）【課題】コップに貼りつき難く、それ自身も机の上で滑り難いにも関わらず、片付けが容易で二色成形に適し、コップも滑り難いコースターを提供する。【解決手段】コースター１は、硬質プラスチック製の平板状円形プレート１０の中央部に、上下方向に向かって突出する様に形成された多数の正六角形が連続した蜂の巣形状の升目状凸枠部２０を備える。升目状凸枠部２０の各升目の内側は、平板状円形プレート１０の厚さの約半分の高さの縦線部と横線部とを交差接合されたメッシュ構造部３０で埋められる。平板状円形プレート１０の外縁は、升目状凸枠部２０と上端及び下端が面一となる縁部１１で取り巻かれ、プレート裏面側には、升目状凸枠部２０の下端と面一となる底面を有するエラストマー製の裏面側円形突起部４１〜４８が、表面側リング状突起部４９と一体に二色成形によって形成される。【選択図】図１
0003172733.tif 000002
【実用新案登録請求の範囲】
【請求項１】
平板状プレートの上面中央部に升目状凸枠部を備え、該升目状凸枠部の上端を面一としてコップ等の底面を前記平板状プレートの表面から浮かせた状態に支持する構造の硬質プラスチック製のコースターであって、以下の構成をも備えていることを特徴とするコースター。
（１）前記升目状凸枠部は、前記平板状プレートを机等から浮かせた状態に支持する様に、該平板状プレートの裏面側にも下端が面一となる様に凸設されていること。
（２）前記升目状凸枠部の各升目の内側は、前記平板状プレートの厚さの約半分の高さの縦線部と横線部とを交差接合させて形成した多数の微小角孔を備えるメッシュ構造部で前記平板状プレートとほぼ同一の面を構成する様に埋められていること。
（３）前記平板状プレートの外縁は、前記升目状凸枠部と上端及び下端が面一となる縁部で取り巻かれていること。
（４）前記升目状凸枠部と前記縁部との間の前記平板状プレートの裏面側には、前記升目状凸枠部の下端と面一となる底面を有するエラストマー製裏面側突起部が形成されていること。
【請求項２】
さらに、以下の構成をも備えていることを特徴とする請求項１記載のコースター。
（５）前記エラストマー製裏面側突起部は、前記升目状凸枠部の外側を取り囲む様に複数個備えられ、前記平板状プレートには、これら複数個のエラストマー製裏面側突起部の設置箇所に対応する貫通孔が形成されていること。
（６）前記複数個のエラストマー製裏面側突起部同士を前記平板状プレートの表面側で連続させる様に、前記升目状凸枠部と前記縁部の間の平板状プレートの上面に、エラストマー製表面側突起部が形成されていること。
【請求項３】
さらに、以下の構成をも備えていることを特徴とする請求項２記載のコースター。
（７）前記各貫通孔は、前記各エラストマー製裏面側突起部よりも小さくなる様な孔径にされていること。
【請求項４】
さらに、以下の構成をも備えていることを特徴とする請求項２又は３記載のコースター。
（８）前記エラストマー製表面側突起部は、上面が前記升目状凸枠部及び縁部の上端と面一となる様に形成されていること。
【請求項５】
さらに、以下の構成をも備えていることを特徴とする請求項１〜４のいずれか記載のコースター。
（９）前記升目状凸枠部は、正六角形が連続した蜂の巣状の升目とされていること。
【考案の詳細な説明】
【技術分野】
【０００１】
本考案は、コップ等の下に敷くコースターに関する。
【背景技術】
【０００２】
従来、コップとの密着を防ぐ様にしたコースターが提案されている（特許文献１，２など）。
【０００３】
特許文献１は、図４（Ａ）に示す様に、最上段の吸水紙を穴開きとし、その裏面に中間半吸水紙及び下吸水紙を貼り合わせた紙製コースターを提案している。
【０００４】
特許文献２は、図４（Ｂ）に示す様に、上面外周に凸設したせき止め部の内側にコップを受ける複数の突起部を備えると共に、本体を上に凸の湾曲形状として、コップ重量によって本体が伸びてテーブルに対する吸着力を発揮する様にしたプラスチック、ゴムなどのコースターを提案している。
【先行技術文献】
【特許文献】
【０００５】
【特許文献１】実用新案登録第３０８５９７６号（図１）
【特許文献２】特開２０００−３４２４２４（図１）
【考案の概要】
【考案が解決しようとする課題】
【０００６】
特許文献１のコースターは、コップの底が切り抜き穴を密閉する置き方がされ易く、コースターがコップの裏面に貼りつき易いという問題を十分に解決できていない。
【０００７】
特許文献２のコースターは、机に貼りつかせて持ち上がらない様にするものであるため、コースターを片づける際の取り扱いが面倒になるという問題がある。
【０００８】
そこで、本考案は、コップ等に貼りつき難く、それ自身も机の上で滑り難いにも関わらず、片付けが容易なコースターを提供することを目的とし、さらに、二色成形による製造が容易で、かつ、載置したコップも滑り難いコースターを提供することさらなる目的とする。
【課題を解決するための手段】
【０００９】
上記目的を達成するためになされた本考案のコースターは、平板状プレートの上面中央部に升目状凸枠部を備え、該升目状凸枠部の上端を面一としてコップ等の底面を前記平板状プレートの表面から浮かせた状態に支持する構造の硬質プラスチック製のコースターであって、以下の構成をも備えていることを特徴とする。
（１）前記升目状凸枠部は、前記平板状プレートを机等から浮かせた状態に支持する様に、該平板状プレートの裏面側にも下端が面一となる様に凸設されていること。
（２）前記升目状凸枠部の各升目の内側は、前記平板状プレートの厚さの約半分の高さの縦線部と横線部とを交差接合させて形成した多数の微小角孔を備えるメッシュ構造部で前記平板状プレートとほぼ同一の面を構成する様に埋められていること。
（３）前記平板状プレートの外縁は、前記升目状凸枠部と上端及び下端が面一となる縁部で取り巻かれていること。
（４）前記升目状凸枠部と前記縁部との間の前記平板状プレートの裏面側には、前記升目状凸枠部の下端と面一となる底面を有するエラストマー製裏面側突起部が形成されていること。
【００１０】
本考案によれば、コースターは、机に置いたとき、平板状プレートの縁部と升目状凸枠部の下端でしっかりと支持される。このとき、エラストマー製裏面側突起部も机等に接する状態となる。この結果、硬質プラスチック製であるにもかかわらず、コースターは机の上で滑り難く安定した状態でコップを支持することができる。
【００１１】
また、本考案によれば、コップは、升目状凸枠部の上端に支えられて平板状プレートの表面から浮いた状態に支持される。升目状凸枠部の各升目の内側のメッシュ構造部もまた、コップ等の底面との間に空間を保った状態となる。従って、コップの底面はコースターに全面で密着することなく支持される。しかも、升目の内側がメッシュ構造部となっているので、コップの底面から滴り落ちる水滴はメッシュ構造部で受け止められ、机を濡らさないが、メッシュ構造部である結果、升目内の通気は維持される。よって、コップを持ち上げるときにコースターがコップに貼りついて持ち上がってしまうということがない。
【００１２】
そして、本考案のコースターは、コップと一緒に持ち上がらない様にするために吸盤を備えるものではないから、コップを取り除いた後でコースターを回収することも容易である。
【００１３】
ここで、本考案のコースターは、さらに、以下の構成をも備えるとよい。
（５）前記エラストマー製裏面側突起部は、前記升目状凸枠部の外側を取り囲む様に複数個備えられ、前記平板状プレートには、これら複数個のエラストマー製裏面側突起部の設置箇所に対応する貫通孔が形成されていること。
（６）前記複数個のエラストマー製裏面側突起部同士を前記平板状プレートの表面側で連続させる様に、前記升目状凸枠部と前記縁部の間の平板状プレートの上面に、エラストマー製表面側突起部が形成されていること。
【００１４】
かかる構成をも採用することにより、硬質プラスチックで一次成形を行った後にエラストマーによる二次成形を行う二色成形法によって本考案のコースターを容易に製造することができる。
【００１５】
ここで、本考案のコースターは、さらに、以下の構成をも備えるとよい。
（７）前記各貫通孔は、前記各エラストマー製裏面側突起部よりも小さくなる様な孔径にされていること。
【００１６】
これにより、二色成形によって形成されたエラストマー製の部分は硬質プラスチック製の平板状プレートに対してしっかりと嵌め合わされた状態で一体成形され、頑丈な構造となる。
【００１７】
ここで、本考案のコースターは、さらに、以下の構成をも備えるとよい。
（８）前記エラストマー製表面側突起部は、上面が前記升目状凸枠部及び縁部の上端と面一となる様に形成されていること。
【００１８】
かかる構成をも採用することにより、コースター上に置かれたコップがずれようとしたときに升目状凸枠部を取り囲む様に形成されているエラストマー製表面側突起部によって移動を制限することができる。この結果、コップを持ち上げるときに一緒に持ち上がり難く、かつ、机に置いた状態では安定して滑らず、コップがずれようとしてもこれを制限することが可能で、使用後の回収も容易なコースターを提供することができる。
【００１９】
ここで、本考案のコースターは、さらに、以下の構成をも備えるとよい。
（９）前記升目状凸枠部は、正六角形が連続した蜂の巣状の升目とされていること。
【００２０】
見た目も自然で、バランスがよく、コップを置きやすい。
【考案の効果】
【００２１】
本考案によれば、コップ等に貼りつき難く、それ自身も机の上で滑り難いにも関わらず、片付けが容易なコースターを提供することができ、特に、二色成形による製造が容易であり、また、載置したコップも滑り難いコースターを提供することができる。
【図面の簡単な説明】
【００２２】
【図１】実施例のコースターを示し、（Ａ）は平面図、（Ｂ）は左側面図、（Ｃ）はａ−ａ端面図、（Ｄ）はｂ−ｂ端面図、（Ｅ）は底面図、（Ｆ）は正面図、（Ｇ）はｃ−ｃ端面図、（Ｈ）はｄ−ｄ端面図である。
【図２】実施例のコースターの平板状円形プレートを示し、（Ａ）は平面図、（Ｂ）はｅ−ｅ端面図、（Ｃ）はｆ−ｆ端面図、（Ｄ）は底面図、（Ｅ）はｇ−ｇ端面図、（Ｆ）はｈ−ｈ端面図である。
【図３】実施例のコースターを示し、（Ａ）は平面図、（Ｂ）は平面図におけるメッシュ構造部の要部拡大図、（Ｃ）はｉ−ｉ端面図、（Ｄ）はｊ−ｊ端面図、（Ｅ）は底面図、（Ｆ）は底面図におけるメッシュ構造部の要部拡大図、（Ｇ）はｋ−ｋ端面図、（Ｈ）はｌ−ｌ端面図である。
【図４】従来技術の説明図である。
【考案を実施するための形態】
【００２３】
以下、本考案を実施するための形態を実施例で説明する。
【実施例１】
【００２４】
実施例のコースター１は、図１に示す様に、硬質プラスチック製の平板状円形プレート１０の中央部に、上下方向に向かって突出する様に形成された多数の正六角形が連続した蜂の巣形状の升目状凸枠部２０を備えている。升目状凸枠部２０は、高さが、平板状円形プレート１０の板厚の約３倍程度となっていて、升目状凸枠部２０の高さ方向中央に平板状円形プレート１０が一体に成形されている。升目状凸枠部２０の上端及び下端はそれぞれ面一となっている。
【００２５】
升目状凸枠部２０の各升目２１の内側は、図３に示す様に、平板状円形プレート１０の厚さの約半分の高さの縦線部３１と横線部３２とを交差接合されたメッシュ構造部３０で平板状円形プレート１０とほぼ同一の面を構成する様に埋められている。メッシュ構造部３０は、精密射出成形により、メッシュサイズ０．１ｍｍの微小角孔が多数形成された状態となっている。
【００２６】
また、平板状円形プレート１０の外縁は、図１，図２に示す様に、升目状凸枠部２０と上端及び下端が面一となる縁部１１で取り巻かれている。そして、升目状凸枠部２０と縁部１１との間の平板状円形プレートの裏面側には、升目状凸枠部２０の下端と面一となる底面を有するエラストマー製の裏面側円形突起部４１〜４８が形成されている。
【００２７】
さらに、これら裏面側円形突起部４１〜４８は、升目状凸枠部２０の外側を取り囲む様に８個備えられ、平板状プレート１０には、図２に示す様に、これら８個の裏面側円形突起部４１〜４８の設置箇所に対応する貫通孔５１〜５８が形成されている。
【００２８】
また、平板状プレート１０の表面側には、図１に示す様に、升目状凸枠部２０を取り囲む様に連続したリング状のエラストマー製の表面側リング状突起部４９が縁部１１との間に形成されている。この表面側リング状突起部４９は、８個の貫通孔５１〜５８を介して、８個の裏面側円形突起部４１〜４８と一体に形成される様に、二色成形法によって形成される。
【００２９】
なお、各貫通孔５１〜５８は、各裏面側円形突起部４１〜４８よりも小さな孔径の円形孔として形成されている。
【００３０】
また、エラストマー製の表面側リング状突起部４９は、その上面が升目状凸枠部２０及び縁部１１の上端と面一となる様に形成されている。
【００３１】
本実施例のコースター１は、机に置いたとき、平板状円形プレート１０の縁部１１と升目状凸枠部２０の下端でしっかりと支持される。このとき、エラストマー製の裏面側円形突起部４１〜４８も机等に接する状態となる。この結果、本体が硬質プラスチック製であるにもかかわらず、コースター１は机の上で滑り難く安定した状態でコップを支持することができる。
【００３２】
また、本実施例のコースター１によれば、コップは、升目状凸枠部２０の上端に支えられて平板状円形プレート１０の表面から浮いた状態に支持される。升目状凸枠部２０の各升目の内側のメッシュ構造部３０もまた、コップ等の底面との間に空間を保った状態となる。従って、コップの底面はコースター１に全面で密着することなく支持される。しかも、升目の内側がメッシュ構造部３となっているので、コップの底面から滴り落ちる水滴はメッシュ構造部３０で受け止められ、机を濡らさないが、メッシュ構造部３０である結果、升目内の通気は維持される。よって、コップを持ち上げるときにコースター１がコップに貼りついて持ち上がってしまうということがない。
【００３３】
そして、コースター１は、コップと一緒に持ち上がらない様にするために吸盤を備えるものではないから、コップを取り除いた後でコースターを回収することも容易である。
【００３４】
また、実施例のコースター１は、硬質プラスチックで平板状円形プレート１０を一次成形した後に、エラストマーによる二次成形を行う二色成形法によって容易に製造することができる。そして、各貫通孔５１〜５８が、各裏面側円形突起部４１〜４８よりも小さな孔径の円形孔として形成されることにより、二色成形によって形成されたエラストマー製の部分は硬質プラスチック製の平板状円形プレート１０をはさみ付ける様にしっかりと嵌め合わされた状態で一体成形され、頑丈な構造となる。
【００３５】
また、上面のエラストマー製の表面側リング状突起部４９により、コースター上に置かれたコップがずれようとしたときに移動を制限することができる。この結果、コップを持ち上げるときに一緒に持ち上がり難く、かつ、机に置いた状態では安定して滑らず、コップがずれようとしてもこれを制限することが可能で、使用後の回収も容易なコースターを提供することができる。
【００３６】
そして、正六角形が連続した蜂の巣状の升目としたので、見た目も自然で、バランスがよく、コップを置きやすい。
【００３７】
この結果、本実施例によれば、コップ等に貼りつき難く、それ自身も机の上で滑り難いにも関わらず、片付けが容易なコースターを提供することができ、特に、二色成形による製造が容易であり、また、載置したコップも滑り難いコースターを提供することができる。
【００３８】
以上、考案を実施するための一実施例を説明したが、本考案は、これに限定されるものではなく、その要旨を逸脱しない範囲内における種々の変更が可能である。
【産業上の利用可能性】
【００３９】
コップ等を置くためのコースターとして利用することができる。
【符号の説明】
【００４０】
１・・・コースター
１０・・・硬質プラスチック製の平板状円形プレート
１１・・・縁部
２０・・・蜂の巣形状の升目状凸枠部
２１・・・升目
３０・・・メッシュ構造部
３１・・・縦線部
３２・・・横線部
４１〜４８・・・エラストマー製の裏面側円形突起部
４９・・・エラストマー製の表面側リング状突起部
５１〜５８・・・貫通孔
【図１】
0003172733.tif 000003
【図２】
0003172733.tif 000004
【図３】
0003172733.tif 000005
【図４】
0003172733.tif 000006